(57)【要約】【課題】開閉操作の際、補強部に加わる外力を分散して負荷の軽減を図り、柔軟性のある補強部の破損を防ぐ開離嵌挿具を提供する。【解決手段】合成樹脂を用いて開離嵌挿具５の箱棒８、蝶棒９の下半部にファスナーテープ３上へ張り出す補強部１０を表裏対称に一体成形し、補強部１０は箱棒８、蝶棒９に隣接する内側部１１と、これに連接する外側部分１２とから形成し、内側部分１１は複数のリブ１３が斜交状に配し、リブ１３間に凹窩部を形成して柔軟性を付与し、内側部分１１に連接して分厚いリブ１３からなる外側部分１２を形成することにより、薄手の内側部分１１の斜交状のリブ１３によって、補強部に加わる外力を分散し、負荷を軽減することができる。【選択図】  図１
2004283299.tif 000002
【特許請求の範囲】
【請求項１】
一対のファスナーテープ３の対向側縁にファスナーエレメント４を取り付け、該ファスナーエレメント４の端部でファスナーテープ３の側縁に取り付けた合成樹脂製の開離嵌挿具５と、開離嵌挿具５と一体に成形し、ファスナーテープ３の少なくとも一面に張り出す補強部１０とを設け、補強部１０は開離嵌挿具５と連結する内側部分１１に平面上斜交状に配置した複数のリブ１３から形成してなることを特徴とする開離嵌挿具付きスライドファスナー。
【請求項２】
補強部１０はリブ１３をファスナーテープ３の両面に対称に配置し、内側部分１１は外側部分１２よりも薄く形成してなる請求項１記載の開離嵌挿具付きスライドファスナー。
【請求項３】
リブ１３の交差部分は平面上弧状を呈する形に形成してなる請求項１記載の開離嵌挿具付きスライドファスナー。
【請求項４】
補強部１０の内側部分１１におけるリブ１３間に凹窩部１４を形成してなる請求項１記載の開離嵌挿具付きスライドファスナー。
【請求項５】
補強部１０の内側部分１１における下端縁に上端へ向けて窪む凹欠部１５を形成してなる請求項１記載の開離嵌挿具付きスライドファスナー。
【請求項６】
補強部１０は、開離嵌挿具５と連結する内側部分１１と、内側部分１１と連結してファスナーテープ３の外側縁へ向けて延びる外側部分１２とから形成し、外側部分１２は一定の間隔で並列する複数のリブ１３から形成してなる請求項１記載の開離嵌挿具付きスライドファスナー。
【請求項７】
箱棒８または蝶棒９の先端部を基準に芯部６およびファスナーテープ３をヒートカットし、補強部１０の内側部分１１および外側部分１２の下端縁がカットラインよりも内側に位置する形に形成してなる請求項１記載の開離嵌挿具付きスライドファスナー。
【請求項８】
ファスナーテープ３は、補強部１０の外側端部１２と対面する部位を粗組織２０に編織製し、補強部１０の端部が粗組織２０内へ浸透してなる請求項１記載の開離嵌挿具付きスライドファスナー。
【請求項９】
補強部１０の内側部分１１の範囲は、ファスナーエレメント４の内側端面からファスナーテープ３の内方へ向けての幅Ｗが４．０ｍｍ以内に形成してなる請求項１記載の開離嵌挿具付きスライドファスナー。
【発明の詳細な説明】
【０００１】
【発明の属する技術分野】
この発明は、スライドファスナーに設置した開離嵌挿具におけるファスナーテープの端部に取り付けた箱棒、蝶棒または箱体に連設したファスナーテープを補強するための補強部の形態に関するものである。
【０００２】
【従来の技術】
近年、スライドファスナー分野においては、構造を簡略化し、低価格で品質のよい製品を提供することが市場より要望されている。この傾向は、主に衣服の前身頃の開閉部分に用いられ、ファスナーテープの端部を連結または分離可能な開離嵌挿具付きスライドファスナーにおいて著しい。
【０００３】
さて、従来、開離嵌挿具付きスライドファスナーは、通常の製品が、一対のファスナーテープの対向側縁に沿ってファスナーエレメントを取り付け、ファスナーエレメントの下端に連続して箱棒、箱体、蝶棒から構成された開離嵌挿具を取り付けている。そして開離嵌挿具を取り付ける部分のファスナーテープには平織り繊維（タフタ）あるいは合成樹脂フィルムの裏面に接着層を設けた補強テープを貼り付けて、同部分の形態を安定化すべく補強した後に開離嵌挿具を取り付けている。
【０００４】
また、ファスナーテープの端部に補強テープを貼り付けることなく、直接箱棒、蝶棒および網状の補強片を合成樹脂を用いてファスナーテープの表裏で位置を半ピッチずらした形で射出成形で成形したスライドファスナーの開離嵌挿具が知られている。（例えば特許文献１参照）
さらに、ファスナーテープの端部に開離嵌挿具と水平的な格子形状を一体に設け、この格子形状に連接して斜交状の格子形状を一体に成形した補強部をファスナーテープの表面に形成した開離嵌挿具付きのスライドファスナーが知られている。（例えば特許文献２参照）
【０００５】
【特許文献１】
実公昭４１−１７３７４号公報（第１頁、図１，２）
【特許文献２】
米国特許第３４３５４８９号明細書（２〜４欄、図１〜４）
【０００６】
【発明が解決しようとする課題】
前項で述べた補強テープを貼り付けた開離嵌挿具付きスライドファスナーは、ファスナーテープを補強するために、補強テープを必要とし、スライドファスナーの部品点数が多くなって商品コストを増加させている。またスライドファスナーの製造過程において必ず補強テープなどを貼着する工程および貼着加工機が必要であり、製造過程において簡略化を図ることができないから、商品のコスト高につながる。
【０００７】
特許文献１に開示されたスライドファスナーの開離嵌挿具は、補強片の外周縁が先鋭状の角部を有するので、補強片が他物と引っ掛かり剥離しやすい。また補強片はファスナーテープの外側縁に向けて幅広く大きく設けられているので、同部分のファスナーテープが剛直化し、スライドファスナーを被着物に取り付ける縫製の際、補強片とミシン針とが接触して、ミシン針が折れる頻度が高い。また、開離嵌挿具を連結又は分離する操作を行う際、補強片に捻りや折り曲げ等の外力が繰り返し加わり、補強片が破断する問題がある。
【０００８】
さらに特許文献２に開示された開離嵌挿具付きスライドファスナーは、箱棒、箱体、蝶棒と連結する補強片の内側部分がファスナーテープの幅方向に平行に延びるリブとファスナーテープの長さ方向に平行に延びるリブとで格子形状を呈し、リブ間に形成された凹部が並んで配されているので、同部分はファスナーテープに折り曲げや捻りなどの外力が作用したときに最も負担が加わる部分であるにもかかわらず、外力に対し耐久性が低く破損しやすい問題があった。また補強片は、上記連結部分からファスナーテープの外側縁に至る部分、すなわちファスナーテープが衣服の生地に縫製される部分に、ファスナーテープの幅方向に斜めに延びる複数のリブが交差する格子形状を形成しているので、縫糸が走る縫製ラインと交差するリブが多く、縫製時に縫針とリブとが接触する頻度が増大して、リブが破断する問題がある。
【０００９】
この発明は、上述の問題点を考慮して発明されたものであり、請求項１記載の発明は、開離嵌挿具付きスライドファスナーにおけるファスナーストリンガーに表裏方向へ折り曲げようとする外力が働いた場合、最も負荷が加わる開離嵌挿具と補強部との連結部分すなわち補強部における内側部分は、複数のリブが斜交状に配された形状であるので、外力が分散し易く、負荷が軽減され、破損し難く、かつまた補強部が他物に引っ掛かって剥離するのを防ぐことができる開離嵌挿具付きスライドファスナーを提供することが主たる目的である。
【００１０】
請求項２記載の発明は、請求項１記載の発明の目的に加え、補強部がファスナーテープを両面から一体成形によって挟着し、安定した形態の補強部また柔軟性のある補強部の内側部分を備えた開離嵌挿具付きスライドファスナーを提供することが主たる目的である。
【００１１】
請求項３記載の発明は、請求項１記載の発明の目的に加え、補強部における内側部分に加わる外力をよく分散させ、内側部分の補強部の破損を未然に防ぐことができる開離嵌挿具付きスライドファスナーを提供することが目的である。
【００１２】
請求項４記載の発明は、請求項１記載の発明の目的に加え、補強部の内側部分におけるリブの補強構造あるいはリブの可変構造を簡単に具備させることができる開離嵌挿具付きスライドファスナーを提供することが目的である。
【００１３】
請求項５記載の発明は、請求項１記載の発明の目的に加え、ファスナーテープの端部に捻転力が加わったとき、補強部の内側部分に凹欠する部分を配することによって、外力の一部を吸収し負荷の軽減ができる開離嵌挿具付きスライドファスナーを提供することが目的である。
【００１４】
請求項６記載の発明は、請求項１記載の発明の目的に加え、補強部の外側部分は、ファスナーテープを衣服などへ縫着する際、ミシン針との接触する頻度を少なくし、リブの破損を防いで縫着できる開離嵌挿具付きスライドファスナーを提供することが目的である。
【００１５】
請求項７記載の発明は、請求項１記載の発明の目的に加え、ファスナーストリンガーをヒートカットしても端部に硬直化、特に芯部に塊りができず肌触りがよく、またファスナーテープの端部に捻転力が加わっても、補強部のリブがテープから剥離することがない品質のよい開離嵌挿具尽きスライドファスナーを提供することが目的である。
【００１６】
請求項８記載の発明は、請求項１記載の発明の目的に加え、補強部の外側部分をファスナーテープに強固に固定することができ、補強部の剥離を未然に防いで長期の使用に耐えられる開離嵌挿具付きスライドファスナーを提供することが目的である。
【００１７】
請求項９記載の発明は、請求項１記載の発明の目的に加え、補強部の内側部分の大きさを特定し、補強部の内側部分が最適かつ有効的な機能が発揮できる形態に形成した開離嵌挿具付きスライドファスナーを提供することが目的である。
【００１８】
【課題を解決するための手段】
前記の目的を達成するため、この発明のうち請求項１記載の発明は、スライドファスナーにおける一対のファスナーテープ３が対向する側縁にファスナーエレメント４を取り付け、このファスナーエレメント４に連接してファスナーテープ３の側縁に一体成形で取り付けた合成樹脂製の開離嵌挿具５、例えば箱体７、箱棒８、蝶棒９と、この開離嵌挿具５と一体に成形してファスナーテープ３の少なくとも一面に張り出し、ファスナーテープ３を補強する補強部１０とを設け、この補強部１０は開離嵌挿具５に連接する内側部分１１に、平面的にみて斜交状を呈する形に配した複数のリブ１３から形成した開離嵌挿具付きスライドファスナーを主な構成とするものである。
【００１９】
請求項２記載の発明は、請求項１記載の発明の構成に加え、ファスナーテープ３に形成する補強部１０は、リブ１３をファスナーテープ３の両面に対称的に配し、開離嵌挿具５に連接する内側部分１１を外側部分１２よりも厚みが薄くなる形で形成した開離嵌挿具付きスライドファスナーである。
【００２０】
請求項３記載の発明は、請求項１記載の発明の構成に加え、補強部１０の内側部分１１に形成するリブ１３における交差部分は、平面的にみて弧状を呈する形に形成した開離嵌挿具付きスライドファスナーである。
【００２１】
請求項４記載の発明は、請求項１記載の発明の構成に加え、補強部１０の内側部分１１に形成するリブ１３間に凹窩部１４、例えば透孔形状、あるいは薄い底部分がある凹部形状に形成した開離嵌挿具付きスライドファスナーである。
【００２２】
請求項５記載の発明は、請求項１記載の発明の構成に加え、補強部１０の内側部分１１に形成したリブ１３の下端縁には、上方へ向けて凹状に窪む凹欠部１５を形成した開離嵌挿具付きスライドファスナーである。
【００２３】
請求項６記載の発明は、請求項１記載の発明の構成に加え、ファスナーテープ３に形成する補強部１０は、開離嵌挿具５と連接して形成する内側部分１１と、この内側部分１１に連接して形成し、かつファスナーテープ３の外側縁へ向けて延びる外側部分１２とから形成し、外側部分１２は一定の間隔で横方向または縦方向に並列する複数のリブ１３から形成した開離嵌挿具付きスライドファスナーである。
【００２４】
請求項７記載の発明は、請求項１記載の発明の構成に加え、ファスナーストリンガー２に取り付けた箱棒８または蝶棒９の先端部を基準にして、芯部６およびファスナーテープ３をヒートカットし、この際補強部１０の内側部分１１および外側部分１２における下端縁が、ヒートカットしたカットラインよりも視覚で区別できるように内側に位置する形に形成した開離嵌挿具付きスライドファスナーである。
【００２５】
請求項８記載の発明は、請求項１記載の発明の構成に加え、ファスナーテープ３は、補強部１０の外側端と対面するファスナーテープ３の部位を粗組織２０に織製または編製し、補強部１０の外側端部がテープの粗組織２０内へ浸透し固定した開離嵌挿具付きスライドファスナーである。
【００２６】
請求項９記載の発明は、請求項１記載の発明の構成に加え、補強部１０の内側部分１１の範囲は、ファスナーエレメント４の内側端面からファスナーテープ３の内方へ向けての幅Ｗが４．０ｍｍ以内の範囲の大きさで形成した開離嵌挿具付きスライドファスナーである。
【００２７】
【発明の実施の形態】
以下、この発明の開離嵌挿具付きスライドファスナーについて、図面を参照しながら具体的に説明する。
【００２８】
この発明の開離嵌挿具付きスライドファスナーは、図１に示すように、ファスナーチエン１は、下止めを用いた止製品でなく開き製品、すなわち左右のファスナーストリンガー２が完全に分離できる開離嵌挿具５を備えたスライドファスナーであり、ファスナーテープ３の側縁に設けた芯部６にファスナーエレメント４を装着する。一方のファスナーストリンガー２のファスナーエレメント４の下端に連続する形で開離嵌挿具５としての箱棒８を取り付け、他方のファスナーストリンガー２のファスナーエレメント４の下端に連続する形で開離嵌挿具５としての蝶棒９をそれぞれ芯部６に取り付ける。そして箱棒８は図１０に示すように、箱体７を取り付けた開離嵌挿具付きのファスナーストリンガー２を作製し、蝶棒９を取り付けたファスナーストリンガー２と組み合わせて開離嵌挿具付きスライドファスナーを完成させる。
【００２９】
図２〜１２に示す第１実施例の開離嵌挿具付きスライドファスナーは、ファスナーチエン１の一方のファスナーストリンガー２に取り付ける箱棒８には、図２に示すようにファスナーテープ３の表面へ張り出す平坦状の補強部１０を箱棒８の一側面に一体に設け、他方のファスナーストリンガー２に取り付ける蝶棒９には、やはり図４に示すようにファスナーテープ３の表面へ張り出す平坦状の補強部１０を蝶棒９の側面に一体に設ける。そしてファスナーチエン１におけるファスナーエレメント４、箱棒８、蝶棒９、箱体７および補強部１０をポリアセタール、ポリアミドなどの熱可塑性樹脂を用いて射出成形手段によって、それぞれファスナーテープ３に一体成形する。
【００３０】
箱棒８、蝶棒９は図２〜５に示すように箱棒８、蝶棒９の側面に外方へ突出し表面が平坦状に張り出す補強部１０を設ける。図２，３に示すように箱棒８の補強部１０は、箱棒８の下半部における側面すなわちファスナーテープ３上を外方へ突出する形で内側部分１１および外側部分１２を設ける。箱棒８に隣接する内側部分１１には、平面的にみて複数のリブ１３が斜交状に配され、この斜交状のリブ１３間に凹窩部１４を形成する。凹窩部１４は平面的には四角形または菱形あるいは円形または長円形などの各種形状を呈し、かつ図６に示すように貫通状の透孔形状、または薄い底部分のある凹部形状に形成することによって、補強部１０の内側部分１１をリブ１３と凹窩部１４により柔軟性を具有させ、またリブ１３の交差部分を平面的にみて円弧などの弧状を呈する形に形成することによって、補強部１０に加わる外力を分散させる。
【００３１】
補強部１０における内側部分１１の大きさ規模は、ファスナーエレメント４の内側端面を基点とし、ファスナーテープ３の内方へ向けての幅Ｗが４．０ｍｍ以内である。好適には通常よく用いられるＮｏ．３〜５のスライドファスナーにおけるファスナーテープ３の幅が１３〜１６ｍｍであり、このファスナーテープ３幅の約３０％程度の範囲内に成形できる大きさである。ただしスライドファスナーの大きさ、また顧客の要望によって内側部分１１および外側部分１２の比率を変更することは自由であるが、内側部分１１はスライダー３５のフランジ３６間に挿通する部分に存在し、外側部分１２はファスナーストリンガー２を被着物に縫着させる部分に存在することが肝心である。さらに内側部分１１の補強部１０における下端縁に上方へ向けて窪む凹欠部１５を設け、ファスナーテープ３の端部に捻りなどの捻転力が加わったとき、凹欠部１５によって外力の一部を吸収できる形に形成する。なお内側部分１１の上端縁にも凹欠部１５を設けることができる。
【００３２】
補強部１０の外側部分１２は、内側部分１１に連接する形で成形し、外側部分１２は内側部分１１のリブ１３よりも分厚いリブ１３から形成し、リブ１３はファスナーテープ３の外側へ向けて複数のリブ１３が間隔をあけて平行状に延びる形に設ける。そしてリブ１３の断面形状は図７に示すように二等辺三角形で側面の傾斜角度が約６０°、すなわち図示のα角度がα≦３０°の条件を満たすのが好ましい。リブ１３間の間隔を広くとり、かつリブ１３の断面形状を前述のとおりの形状に形成することにより、ファスナーストリンガー２を被着物に縫着する際、ミシン針とリブ１３とが接触する頻度を少なくしてリブ１３の破損を防ぐことができる。また外側部分１２における補強部１０は、外側にリブ１３を連結した形でリブ１３による枠部１６を形成して、安定した形態に形成し、ファスナーストリンガー２を指で摘んだとき、適度の剛性があり、摘み易く開離嵌挿操作を容易に行うことができる。
【００３３】
ファスナーテープ３の芯部６に成形した箱棒８の形態は、補強部１０を形成した反対面に凹状の凹陥部１７を設け、この凹陥部１７に箱体７の前壁２５と後壁２６との間に架設した仕切板２９を嵌入し係止させて箱棒８と箱体７とを一体形態に取り付ける。
【００３４】
蝶棒９を取り付けたファスナーストリンガー２の補強部１０は図４，５に示すように、箱棒８を取り付けたファスナーストリンガー２と同様に、蝶棒９の下半部における側面すなわちファスナーテープ３上を外方へ突出する形で内側部分１１および外側部分１２を設ける。蝶棒９に隣接する内側部分１１には、平面的に複数のリブ１３が斜交状に配され、この斜交状のリブ１３間に底部のない透孔形状または薄い底部のある凹部形状の凹窩部１４を形成して内側部分１１に柔軟性を具有させ、またリブ１３の交差部分は円弧などの弧状を呈する形に形成して補強部１０に加わる外力を分散させる。なお箱棒８、蝶棒９の一部下半部に補強部１０を設けているので、柔軟性のある補強部１０に形成することができる。
【００３５】
補強部１０における内側部分１１の大きさは箱棒８を取り付けたファスナーストリンガー２と同様に、ファスナーテープ３幅の約３０％程度の範囲内に成形し、内側部分１１の補強部１０における下端縁に凹欠部１５を設け、ファスナーテープ３の端部に捻転力が加わったとき、凹欠部１５によって外力の一部を吸収できる形に形成する。なお内側部分１１の上端縁にも凹欠部１５を設けることもできる。
【００３６】
補強部１０の外側部分１２は、箱棒８を取り付けたファスナーストリンガー２と同様に、内側部分１１に連接する形で成形し、外側部分１２は内側部分１１のリブ１３よりも分厚いリブ１３に形成し、リブ１３はファスナーテープ３の外側へ向けて複数のリブ１３が間隔をあけて平行状に延びる形に設け、先端をリブ１３で連結して枠部１６を形成する。リブ１３は図７に示すのと同様に、断面形状が二等辺三角形で側面の傾斜角度を約６０°に傾斜する形に形成し、ファスナーストリンガー２の縫着時にミシン針との接触をなるべく避け、リブ１３の破損を防ぐものである。
【００３７】
箱棒８および蝶棒９を取り付けたファスナーストリンガー２に形成する内側部分１１および外側部分１２から形成される補強部１０は、図３，５に示すようにファスナーテープ３の表裏両面へ射出成形によって成形し、ファスナーテープ３を表裏から補強部１０により挟持させる形に形成する。補強部１０は両面でなくファスナーテープ３の表面片側にのみ成形してもよい。
【００３８】
箱棒８を取り付けたファスナーストリンガー２に取り付ける箱体７は、図８，９に示すように、全体が直方体で前壁２５と後壁２６との間の中央上部に細幅状の仕切板２９を架設し、仕切板２９の下端に係止部３２を設ける。箱体７の側方に存在する一方の後壁２７には、箱棒８を取り付けたファスナーストリンガー２が挿入できる補強部１０の内側部分１１の厚みに相当する開口部分の挿入口２８を設け、かつ挿入口２８と仕切板２９との間に箱棒８が差し込むことができる箱棒差込孔３０を設ける。他方の側壁２７には、蝶棒９を取り付けたファスナーストリンガー２が挿入できる補強部１０の内側部分１１の厚みに相当する開口部分の挿入口２８を底部分まで設け、かつ挿入口２８と仕切板２９との間に蝶棒９が差し込むことができる蝶棒差込孔３１を設けて箱体７を完成させる。
【００３９】
完成した箱体７は、図１０に示すように箱棒８を取り付けたファスナーストリンガー２の箱棒８を箱体７の箱棒差込孔３０に挿入するとともに、側壁２７の挿入口２８に補強部１０の内側部分１１を挿入し、箱体７に設けた仕切板２９を箱棒８の側面に設けた凹陥部１７に圧入すると、仕切板２９の下端縁に設けた係止部３２が凹陥部１７の一端に係止し、箱棒８と箱体７が一体に連結し固定する。
【００４０】
箱体７を取り付けたファスナーストリンガー２に対し、蝶棒９を取り付けたファスナーストリンガー２を装着するには、図１１に示すようにスライダー３５を箱体７の上端面に接触するように摺動させて保持した状態にし、蝶棒９を取り付けたファスナーストリンガー２の補強部１０を摘んで蝶棒９をスライダー３５のガイド溝３７へ挿入するとともに、補強部１０の内側部分１１を、フランジ３６間に挿通して箱体７の蝶棒差込孔３１へ蝶棒９を挿入した後、補強部１０を摘んだままスライダー３５を引き上げ摺動させると、図１２に示すように左右のファスナーストリンガー２のファスナーエレメント４が噛合した状態のファスナーチエン１に仕上がる。
【００４１】
図１３，１４，１５に示した開離嵌挿具５は、それぞれ補強部１０の外側部分１２の変形例を示すものであり、図１３に示す補強部１０は、箱棒８、蝶棒９に対し内側部分１１および外側部分１２の設置範囲を長く広く形成し、ファスナーストリンガー２を縫着する際、外側部分１２を枠部１６内で横方向へ並行するリブ１３を増やすことによって、容易かつ確実にミシン針によるリブ１３の破損頻度を下げ、ファスナーストリンガー２を縫着できる形に形成したものである。
【００４２】
図１４に示す補強部１０は、箱棒８、蝶棒９に対する内側部分１１の設置範囲は第１実施例と同様であるが、外側部分１２のリブ１３の配置形態が異なる。すなわち外側部分１２のリブ１３は、枠部１６内に横方向のリブ１３はなく、１本のリブ１３を縦方向に配し、ミシンによる縫製ラインからリブ１３をずらすことができ、リブ１３の破損頻度を下げ、ファスナーストリンガー２を確実、かつ有効に縫着することができる。また図１５に示す補強部１０は、外側部分１２の外側端にリブ１３がなく、枠部１６が形成されていないので、補強部１０の外側に柔軟性を付与することができる。
【００４３】
図１６に示す蝶棒９用の補強部１０について説明すると、蝶棒９の側面に一体に成形する補強部１０は、蝶棒９の下端の位置よりも補強部１０の下端の位置が内部にあること、すなわち補強部１０の下端にファスナーテープ３が蝶棒９の下端よりも余分に存在することである。このファスナーストリンガー２の端部をヒートカットすると蝶棒９部分の芯部６が余分に突出していないので熱で溶ける余地がなく硬直することがないから肌触りがよい。しかも補強部１０の下端にファスナーテープ３が存在するので、ファスナーテープ３に捻りの外力が働いても直接リブ１３に加わらないので、リブ１３がファスナーテープ３から剥がれることがない。なお箱棒８を取り付けたファスナーストリンガー２にも適用できる。
【００４４】
図１７に示す補強部１０は、箱棒８と箱体７とを一体成形しているため、補強部１０の内側部分１１の一部が箱体７と一体成形され、強固に連結固定することができる。
【００４５】
図１８，１９に示す補強部１０は、補強部１０を強固にファスナーテープ３に固定するため、織地のファスナーテープ３における外側縁部の経糸２１を一定区間抜き取り緯糸２２のみが存在する粗目状の織地に形成して粗組織２０を設け、また経編のファスナーテープ３においては、経編糸を抜き取って粗目状の編地に形成して粗組織２０を設ける。この織地または編地の粗組織２０の部分に補強部１０における外側部分１２の外側にある枠部１６のリブ１３を表裏に一体成形することにより、枠部１６を成形する合成樹脂材料の一部が粗組織内へ入り込み、補強部１０をファスナーテープ３に強固に溶着固定した補強部１０である。
【００４６】
図２０，２１に示す補強部１０は、前例と同様に織地または編地のファスナーテープ３の外側縁部に粗目状の粗組織２０を設け、ファスナーテープ３の芯部６側の表裏に補強部１０の内側部分１１を成形し、補強部１０の外側部分１２における外側の枠部１６のリブ１３を粗組織２０に配されるように成形して枠部１６を粗組織２０に溶着し、補強部１０をファスナーテープ３に強固に固定した補強部１０である。
【００４７】
図２２に示す実施例は、両開き用の開離嵌挿具５に適用したものであり、一方のファスナーストリンガー２の一端に箱棒８を取り付け、他方のファスナーストリンガー２の一端に蝶棒９を取り付け、左右にファスナーストリンガー２には箱体７はなく、２個のスライダー３５を相反する方向、逆向きに挿通して、ファスナーチエン１を両側から開閉し、かつ左右に分離できるスライドファスナーである。
【００４８】
このスライドファスナーの一方のファスナーテープ３の芯部６上にスライダー３５が２個挿通できるやや長めの箱棒８を成形する。この箱棒８の先端にはスライダー３５のフランジ３６が当接しスライダー３５の摺動を停止させるストッパー１８が横方向へ延びた形で形成され、ストッパー１８の先端は補強部１０の外側部分１２の分厚いリブ１３まで延設されている。箱棒８の上端には側方へ突出する薄い突片３３を段差状に設け、蝶棒９の上端に設けた段差状の突片３３とが重合できる形に形成する。
【００４９】
他方のファスナーテープ３の芯部６上にスライダー３５が２個挿通できるやや長めの蝶棒９を成形する。そして蝶棒９の上端には箱棒８の突片３３に合致し、突片３３と重合できる突片３３を設ける。また補強部１０の内側部分１１はスライダー３５の肩口側の広幅状の翼板を挿通するため、スライダー３５の翼板に合致するように末端側が拡張される形に形成する。
【００５０】
この開離嵌挿具５の使用態様は、箱棒８を取り付けたファスナーストリンガー２に２個のスライダー３５を相反する方向に向けて挿通して箱棒８のストッパー１８に当接して保持し、この状態で蝶棒９を取り付けたファスナーストリンガー２の蝶棒９を挿通した後、上位にあるスライダー３５を上方へ引き上げて左右のファスナーストリンガー２のファスナーエレメント４を噛合させてファスナーチエン１が完成する。ファスナーチエン１を分離するには、２個のスライダー３５を箱棒８のストッパー１８まで引き下げた後、蝶棒９を取り付けたファスナーストリンガー２を２個のスライダー３５から抜脱すれば左右のファスナーストリンガー２に分離開放することができる。
【００５１】
【発明の効果】
この発明の開離嵌挿具付きスライドファスナーは、以上説明したとおりの構成であり、この構成によって下記の効果を奏するものである。
【００５２】
この発明のうち請求項１記載の発明は、一対のファスナーテープの対向側縁にファスナーエレメントを取り付け、ファスナーエレメントの端部でファスナーテープの側縁に取り付けた合成樹脂製の開離嵌挿具と、開離嵌挿具と一体に成形し、ファスナーテープの少なくとも一面に張り出す補強部とを設け、補強部は開離嵌挿具と連結する内側部分に平面上斜交状に配置した複数のリブから形成したことによって、開離嵌挿具付きスライドファスナーにおいて、ファスナーストリンガーの端部に対し、折曲または捻転力が働いても、開離嵌挿具としての補強部における内側部分の斜交状のリブが外力を有効に分散させ、かつ変形が容易で破損を未然に防ぐとともに、端部に設けた補強部が他物に引っ掛かって剥離するのを未然に防ぐことができる効果がある。
【００５３】
請求項２記載の発明は、請求項１記載の発明の効果に加え、補強部はリブをファスナーテープの両面に対称に配置し、内側部分は外側部分よりも薄く形成したことによって、補強部がファスナーテープの両面から挟持する形で強固に固定でき、かつ補強部の内側部分が薄く柔軟性に富んだ効果がある。
【００５４】
請求項３記載の発明は、請求項１記載の発明の効果に加え、リブの交差部分は平面上弧状を呈する形に形成したことによって、補強部の内側部分におけるリブの交差部分が弧状であるので、補強部に加わる外力を容易に分散させることができる効果がある。
【００５５】
請求項４記載の発明は、請求項１記載の発明の効果に加え、補強部の内側部分におけるリブ間に凹窩部を形成したことによって、補強部のリブを変形し、またリブの補強を簡単かつ容易に行うことができる効果がある。
【００５６】
請求項５記載の発明は、請求項１記載の発明の効果に加え、補強部の内側部分における下端縁に上端へ向けて窪む凹欠部を形成したことによって、補強部の内側部分に加わる捻転力をよく吸収し負荷の軽減ができる効果がある。
【００５７】
請求項６記載の発明は、請求項１記載の発明の効果に加え、補強部は、開離嵌挿具と連結する内側部分と、内側部分と連結してファスナーテープの外側縁へ向けて延びる外側部分とから形成し、外側部分は一定の間隔で並列する複数のリブから形成したことによって、補強部の外側部分は縫製の際、ミシン針がリブに接触する頻度を少なくすることができ、したがってリブの破損を未然に防ぐことができる効果がある。
【００５８】
請求項７記載の発明は、請求項１記載の発明の効果に加え、箱棒または蝶棒の先端部を基準に芯部およびファスナーテープをヒートカットし、補強部の内側部分および外側部分の下端縁がカットラインよりも内側に位置する形で形成したことによって、補強部におけるファスナーテープをヒートカットしても芯部部分が硬直化して塊りとならず肌触りがよく、また補強部のリブがファスナーテープから剥離することがなく、品質のよい開離嵌挿具に仕上げることができる効果がある。
【００５９】
請求項８記載の発明は、請求項１記載の発明の効果に加え、ファスナーテープは、補強部の外側端部と対面する部位を粗組織に編織製し、補強部の端部が粗組織内へ浸透させたことによって、補強部の外側部分のリブをファスナーテープの組織内へ浸透固化でき、強固に取り付けることができる効果がある。
【００６０】
請求項９記載の発明は、請求項１記載の発明の効果に加え、補強部の内側部分の範囲は、ファスナーエレメントの内側端面からファスナーテープの内方へ向けての幅Ｗが４．０ｍｍ以内に形成したことによって、補強部における内側部分が、左右のファスナーストリンガーの嵌挿操作が容易にでき、かつ内側部分が最適な形態で有効に機能が発揮できる効果があるなど、この発明が奏する効果はきわめて顕著である。
【図面の簡単な説明】
【図１】開離嵌挿具付きスライドファスナーの要部の正面図である。
【図２】同上の箱棒を装着したファスナーストリンガーの要部の正面図である。
【図３】同上のファスナーストリンガーの底面図である。
【図４】同上の蝶棒を装着したファスナーストリンガーの要部の正面図である。
【図５】同上のファスナーストリンガーの底面図である。
【図６】同上の図２におけるＡ−Ａ断面図である。
【図７】同上の図２におけるＢ−Ｂ断面図である。
【図８】同上の箱体における断面図である。
【図９】同上の図８におけるＣ−Ｃ断面図である。
【図１０】同上の箱体と箱棒を連結した状態の一部切欠した正面図である。
【図１１】同上の箱体を装着したファスナーストリンガーに蝶棒を装着したファスナーストリンガーを嵌挿させる状態を示す一部切欠した正面図である。
【図１２】同上の箱体を装着したファスナーストリンガーに蝶棒を装着したファスナーストリンガーを嵌挿した状態を示す一部切欠した正面図である。
【図１３】補強部の変形例を示す正面図である。
【図１４】補強部の他の変形例を示す正面図である。
【図１５】補強部のさらに他の変形例を示す正面図である。
【図１６】蝶棒および補強部の変形例を示す正面図である。
【図１７】箱体と箱棒が一体化した嵌挿具の一部切欠した正面図である。
【図１８】ファスナーストリンガーに補強部を装着する実施例の正面図である。
【図１９】同上の図１８におけるＤ−Ｄ断面図である。
【図２０】ファスナーストリンガーに補強部を装着する他の実施例の側面図である。
【図２１】同上の図１８に示すＤ−Ｄに対応する断面図である。
【図２２】他の開離嵌挿具付きスライドファスナーの要部の正面図である。
【符号の説明】
２      ファスナーストリンガー
３      ファスナーテープ
４      ファスナーエレメント
５      開離嵌挿具
６      芯部
７      箱体
８      箱棒
９      蝶棒
１０      補強部
１１      内側部分
１２      外側部分
１３      リブ
１４      凹窩部
１５      凹欠部
２０      粗組織
【図１】
2004283299.tif 000003
【図２】
2004283299.tif 000004
【図３】
2004283299.tif 000005
【図４】
2004283299.tif 000006
【図５】
2004283299.tif 000007
【図６】
2004283299.tif 000008
【図７】
2004283299.tif 000009
【図８】
2004283299.tif 000010
【図９】
2004283299.tif 000011
【図１０】
2004283299.tif 000012
【図１１】
2004283299.tif 000013
【図１２】
2004283299.tif 000014
【図１３】
2004283299.tif 000015
【図１４】
2004283299.tif 000016
【図１５】
2004283299.tif 000017
【図１６】
2004283299.tif 000018
【図１７】
2004283299.tif 000019
【図１８】
2004283299.tif 000020
【図１９】
2004283299.tif 000021
【図２０】
2004283299.tif 000022
【図２１】
2004283299.tif 000023
【図２２】
2004283299.tif 000024